(57)【特許請求の範囲】
【請求項１】
送信時間間隔を示すための方法であって、
基地局によって、拡張専用送信チャネル上で、アイドル状態又はセルフォワードアクセスチャネル状態のユーザ装置から送信されたアップリンクデータを受信するステップ(101)と、
前記基地局によって、前記アップリンクデータを送信するために前記ユーザ装置によって使用される送信時間間隔を決定するステップ(102)と、
前記基地局によって、拡張専用送信チャネルデータフレームの中の前記アップリンクデータを無線ネットワーク制御装置に送信するステップ(103)と
を含むことを特徴とし、
前記拡張専用送信チャネルデータフレームは、前記アップリンクデータを送信するために前記ユーザ装置によって使用される前記送信時間間隔を示す送信時間間隔インジケータを前記無線ネットワーク制御装置に通知するために格納する、送信時間間隔を示すための方法。
【請求項２】
前記拡張専用送信チャネルデータフレームのスペア拡張フィールドが、前記送信時間間隔インジケータを有することを示すステップを含み、
前記ユーザ装置によって使用される前記送信時間間隔が、新たな情報エレメントフラグを介して、前記無線ネットワーク制御装置に示され、
前記送信時間間隔は、第一の送信時間間隔及び第二の送信時間間隔のいずれか一つである、請求項1に記載の方法。
【請求項３】
前記送信時間間隔インジケータは、
各拡張専用送信チャネルデータフレームと、
前記ユーザ装置の各アップリンク拡張専用送信チャネル送信プロセスの間の第一の拡張専用送信チャネルデータフレームのみと、
前記ユーザ装置によって通知されたスケジューリング情報におけるデータバッファサイズが予め設定された閾値を超えるとき、前記拡張専用送信チャネルデータフレームと
の中のいずれか一つに格納される請求項1又は2に記載の方法。
【請求項４】
送信時間間隔を示すための方法であって、
基地局によって、拡張専用送信チャネル上で、アイドル状態又はセルフォワードアクセスチャネル状態のユーザ装置から送信されたアップリンクデータを受信するステップ(201)と、
前記基地局によって、前記アップリンクデータを送信するために前記ユーザ装置によって使用される送信時間間隔を決定するステップ(202)と、
前記基地局によって、拡張専用送信チャネルデータフレームの中の前記アップリンクデータを、無線ネットワーク制御装置に、前記送信時間間隔に対応する送信ベアラを介して送信するステップ(203)と
を含むことを特徴とし、その結果、前記無線ネットワーク制御装置は、前記アップリンクデータを送信するために、前記ユーザ装置によって使用される前記送信時間間隔を、前記送信ベアラに基づいて決定する、送信時間間隔を示すための方法。
【請求項５】
前記基地局によって、前記無線ネットワーク制御装置から第一構成メッセージを受信するステップであって、前記第一構成メッセージは、二つの異なる前記送信時間間隔に対応する二つのアップリンク共通メディアアクセス制御フローの識別子を格納する、受信するステップ(301)と、
前記基地局によって、前記第一構成メッセージに応答して、第一応答メッセージを前記無線ネットワーク制御装置に送信するステップであって、前記第一応答メッセージは、前記二つのアップリンク共通メディアアクセス制御フローに対して前記基地局によって割り当てられた送信ベアラを格納する、送信するステップ(302)と
をさらに含む請求項4に記載の方法。
【請求項６】
前記第一構成メッセージは、物理共有チャネル再構成要求メッセージであり、かつ、前記第一応答メッセージは、物理共有チャネル再構成応答メッセージである、請求項5に記載の方法。
【請求項７】
前記基地局によって、前記無線ネットワーク制御装置から第二構成メッセージを受信するステップであって、前記第二構成メッセージは、第一の送信時間間隔に対応するアップリンク共通メディアアクセス制御フローの識別子と、バンドリングモードインジケータとを格納する、受信するステップ(401)と、
前記基地局によって、前記第二構成メッセージに応答して第二応答メッセージを、前記無線ネットワーク制御装置に送信するステップであって、前記第二応答メッセージは、前記アップリンク共通メディアアクセス制御フローに対して前記基地局によって割り当てられた送信ベアラを格納する、送信するステップ(402)と
を含む請求項4に記載の方法。
【請求項８】
前記ユーザ装置が前記アップリンクデータを送信するために使用する前記送信時間間隔は、第一の送信時間間隔であり、かつ、
前記基地局によって、前記拡張専用送信チャネルデータフレームの中の前記アップリンクデータを、前記無線ネットワーク制御装置に、前記送信時間間隔に対応する前記送信ベアラを介して送信する前記ステップは、
前記基地局によって、前記バンドリングモードインジケータで設定された前記アップリンク共通メディアアクセス制御フローに対応する送信ベアラを介して、前記拡張専用送信チャネルデータフレームの中の前記アップリンクデータを、前記無線ネットワーク制御装置に、送信するステップを含む、請求項7に記載の方法。
【請求項９】
前記第二構成メッセージは、物理共有チャネル再構成要求メッセージであり、第二応答メッセージは、物理共有チャネル再構成応答メッセージである、請求項7又は8に記載の方法。
【請求項１０】
アップリンクデータを送信するためにユーザ装置によって使用される送信時間間隔を決定するための方法において、
無線ネットワーク制御装置によって、基地局から拡張専用送信チャネルデータフレームを受信するステップ(501)であって、前記拡張専用送信チャネルデータフレームは、アイドル状態又はセルフォワードアクセスチャネル状態のユーザ装置から送信されたアップリンクデータを格納する、受信するステップ(501)と、
前記無線ネットワーク制御装置によって、前記アップリンクデータを送信するとき、前記ユーザ装置によって使用される送信時間間隔を、前記拡張専用送信チャネルデータフレームに格納された情報、又は、前記拡張専用送信チャネルデータフレームを送信するために前記基地局が使用する送信ベアラに基づいて決定するステップ(502)と
を含むことを特徴とする、送信時間間隔を決定するための方法。
【請求項１１】
前記無線ネットワーク制御装置によって、第一構成メッセージを前記基地局に送信するステップであって、前記第一構成メッセージは、前記送信時間間隔の二つの異なる長さに対応する前記無線ネットワーク制御装置によって構成される二つのアップリンク共通メディアアクセス制御フローの識別子を格納する、送信するステップと、
前記無線ネットワーク制御装置によって、前記第一構成メッセージに応答して、前記基地局から送信された第一応答メッセージを受信するステップであって、前記第一応答メッセージは、前記二つのアップリンク共通メディアアクセス制御フローに対して前記基地局によって割り当てられた送信ベアラを格納する、受信するステップと
をさらに含み、
前記アップリンクデータを送信するとき、前記無線ネットワーク制御装置は、前記ユーザ装置によって使用される前記送信時間間隔を、前記拡張専用送信チャネルデータフレームを送信するために前記基地局が使用する前記送信ベアラに基づいて決定する、請求項10に記載の方法。
【請求項１２】
前記無線ネットワーク制御装置によって、第二構成メッセージを前記基地局に送信するステップであって、前記第二構成メッセージは、第一の送信時間間隔に対応するアップリンク共通メディアアクセス制御フローの識別子と、バンドリングモードインジケータとを格納する、送信するステップと、
前記無線ネットワーク制御装置によって、前記第二構成メッセージに応答して、前記基地局から送信された第二応答メッセージを受信するステップであって、前記第二応答メッセージは、前記アップリンク共通メディアアクセス制御フローに対して前記基地局によって割り当てられた送信ベアラを格納する、受信するステップと
をさらに含み、
前記無線ネットワーク制御装置は、前記アップリンクデータを送信するとき、前記ユーザ装置によって使用される前記送信時間間隔が前記第一の送信時間間隔であるか否かを、前記基地局が前記拡張専用送信チャネルデータフレームを送信するために使用する前記送信ベアラに基づいて決定する、請求項10に記載の方法。
【請求項１３】
前記無線ネットワーク制御装置は、前記アップリンクデータを送信するときに前記ユーザ装置によって使用される前記送信時間間隔を、前記拡張専用送信チャネルデータフレームに格納された情報に基づいて決定し、かつ
前記拡張専用送信チャネルデータフレームに格納された前記情報は、前記アップリンクデータを送信するために前記ユーザ装置によって使用される前記送信時間間隔を、前記無線ネットワーク制御装置に示す送信時間間隔インジケータを含む、請求項10に記載の方法。
【請求項１４】
前記ユーザ装置によって使用される前記送信時間間隔は、前記拡張専用送信チャネルデータフレームのスペア拡張フィールドが前記送信時間間隔インジケータを含むことを示す新たな情報エレメントフラグを介して、前記無線ネットワーク制御装置に示され、かつ、
前記送信時間間隔は、第一の送信時間間隔及び第二の送信時間間隔のいずれか一つである、請求項13に記載の方法。
【請求項１５】
前記送信時間間隔インジケータは、
各拡張専用送信チャネルデータフレームと、
前記ユーザ装置の各アップリンク拡張専用送信チャネル送信プロセスの間の第一の拡張専用送信チャネルデータフレームのみと、
前記ユーザ装置によって通知されたスケジューリング情報におけるデータバッファサイズが予め設定された閾値を超えるとき、前記拡張専用送信チャネルデータフレームと
の中のいずれか一つに格納される請求項13に記載の方法。
【請求項１６】
拡張専用送信チャネル上で、アイドル状態又はセルフォワードアクセスチャネル状態のユーザ装置から送信されたアップリンクデータを受信するように構成された受信ユニット(61)と、
前記アップリンクデータを送信するために前記ユーザ装置によって使用される送信時間間隔を決定するように構成された決定ユニット(62)と、
拡張専用送信チャネルデータフレームの中の前記アップリンクデータを、無線ネットワーク制御装置に送信するように構成された送信ユニット(63)と
を具備し、
前記拡張専用送信チャネルデータフレームは、前記アップリンクデータを送信するために前記ユーザ装置によって使用される前記送信時間間隔を前記無線ネットワーク制御装置に通知することを示す送信時間間隔インジケータを格納することを特徴とする、基地局。
【請求項１７】
前記拡張専用送信チャネルデータフレームのスペア拡張フィールドが、前記送信時間間隔インジケータを有することを示す新たな情報エレメントフラグを介して、前記ユーザ装置によって使用される前記送信時間間隔が前記無線ネットワーク制御装置に示され、かつ
前記送信時間間隔は、第一の送信時間間隔及び第二の送信時間間隔のいずれか一つである、請求項16に記載の基地局。
【請求項１８】
各拡張専用送信チャネルデータフレームと、
前記ユーザ装置の各アップリンク拡張専用送信チャネル送信プロセスの間の第一の拡張専用送信チャネルデータフレームのみと、
前記ユーザ装置によって通知されたスケジューリング情報におけるデータバッファサイズが予め設定された閾値を超えるとき、前記拡張専用送信チャネルデータフレームと
の中のいずれか一つに、前記送信時間間隔インジケータを格納するように構成された格納ユニット(65)を具備する、請求項16又は17に記載の基地局。
【請求項１９】
拡張専用送信チャネル上で、アイドル状態又はセルフォワードアクセスチャネル状態のユーザ装置から送信されたアップリンクデータを受信するように構成された受信ユニット(81)と、
前記アップリンクデータを送信するために前記ユーザ装置によって使用される送信時間間隔を決定するように構成された格納ユニット(82)と、
拡張専用送信チャネルデータフレームの中の前記アップリンクデータを、無線ネットワーク制御装置に、前記送信時間間隔に対応する送信ベアラを介して送信するように構成された送信ユニット(83)と
を具備し、その結果、前記無線ネットワーク制御装置は、前記アップリンクデータを送信するために、前記ユーザ装置によって使用される前記送信時間間隔を、前記送信ベアラに基づいて決定する、基地局。
【請求項２０】
前記受信ユニット(81)はさらに、前記無線ネットワーク制御装置から第一構成メッセージを受信するように構成され、前記第一構成メッセージは、二つの異なる送信時間間隔に対応するアップリンク共通メディアアクセス制御フローの二つのグループの識別子を格納し、かつ
前記送信ユニット(83)はさらに、前記第一構成メッセージに応答して、第一応答メッセージを前記無線ネットワーク制御装置に送信するように構成され、前記第一応答メッセージは、前記二つのアップリンク共通メディアアクセス制御フローに対して前記基地局によって割り当てられた送信ベアラを格納する、請求項19に記載の基地局。
【請求項２１】
前記第一構成メッセージは、物理共有チャネル再構成要求メッセージであり、かつ、前記第一応答メッセージは、物理共有チャネル再構成応答メッセージである、請求項20に記載の基地局。
【請求項２２】
前記受信ユニット(81)はさらに、前記無線ネットワーク制御装置から第二構成メッセージを受信するように構成され、前記第二構成メッセージは、第一の送信時間間隔に対応するアップリンク共通メディアアクセス制御フローの識別子と、バンドリングモードインジケータとを格納し、
前記送信ユニット(83)はさらに、前記第二構成メッセージに応答して第二応答メッセージを、前記無線ネットワーク制御装置に送信するように構成され、前記第二応答メッセージは、前記アップリンク共通メディアアクセス制御フローに対して前記基地局によって割り当てられた送信ベアラを格納する、請求項19に記載の基地局。
【請求項２３】
前記ユーザ装置が、前記アップリンクデータを送信するために使用する前記送信時間間隔は、第一の送信時間間隔であり、かつ、
前記送信ユニット(83)が更に、前記バンドリングモードインジケータで構成された前記アップリンク共通メディアアクセス制御フローに対応する送信ベアラを介して、前記拡張専用送信チャネルデータフレームの中の前記アップリンクデータを、前記無線ネットワーク制御装置に送信するように構成される、請求項22に記載の基地局。
【請求項２４】
前記第二構成メッセージは、物理共有チャネル再構成要求メッセージであり、かつ、前記第二応答メッセージは、物理共有チャネル再構成応答メッセージである、請求項23に記載の基地局。
【請求項２５】
無線ネットワーク制御装置であって、
基地局から拡張専用送信チャネルデータフレームを受信するように構成された受信ユニット(91)であって、前記拡張専用送信チャネルデータフレームは、アイドル状態又はセルフォワードアクセスチャネル状態のユーザ装置から送信されたアップリンクデータを格納する、受信ユニット(91)と、
前記アップリンクデータを送信するときに前記ユーザ装置によって使用される送信時間間隔を、前記拡張専用送信チャネルデータフレームに格納された情報、又は、前記拡張専用送信チャネルデータフレームを送信するために前記基地局が使用する送信ベアラに基づいて決定するように構成された決定ユニット(92)と
を具備することを特徴とする、無線ネットワーク制御装置。
【請求項２６】
第一送信ユニット(93)をさらに具備し、
前記第一送信ユニット(93)は、第一構成メッセージを前記基地局に送信するように構成され、前記第一構成メッセージは、前記送信時間間隔の二つの異なる長さに対応する前記無線ネットワーク制御装置によって構成される二つのアップリンク共通メディアアクセス制御フローの識別子を格納し、
前記受信ユニット(91)は、前記第一構成メッセージに応答して前記基地局から送信された第一応答メッセージを受信するようにさらに構成され、前記第一応答メッセージは、前記二つのアップリンク共通メディアアクセス制御フローに対して前記基地局によって割り当てられた送信ベアラを格納し
前記アップリンクデータを送信するとき、前記無線ネットワーク制御装置は、前記ユーザ装置によって使用される前記送信時間間隔を、前記拡張専用送信チャネルデータフレームを送信するために前記基地局が使用する前記送信ベアラに基づいて決定する、請求項25に記載の無線ネットワーク制御装置。
【請求項２７】
第二送信ユニット(94)をさらに具備し、
前記第二送信ユニット(94)は、第二構成メッセージを前記基地局に送信するように構成され、前記第二構成メッセージは、第一の送信時間間隔に対応するアップリンク共通メディアアクセス制御フローの識別子と、バンドリングモードインジケータとを格納し、
前記受信ユニット(91)はさらに、前記第二構成メッセージに応答して前記基地局から送信された第二応答メッセージを受信するように構成され、前記第二応答メッセージは、前記アップリンク共通メディアアクセス制御フローに対して前記基地局によって割り当てられた送信ベアラを格納し、
前記無線ネットワーク制御装置は、前記アップリンクデータを送信するとき、前記ユーザ装置によって使用される前記送信時間間隔が前記第一の送信時間間隔であるか否かを、前記基地局が前記拡張専用送信チャネルデータフレームを送信するために使用する前記送信ベアラに基づいて決定する、請求項25に記載の無線ネットワーク制御装置。
【請求項２８】
前記アップリンクデータを送信するとき、前記無線ネットワーク制御装置は、前記ユーザ装置によって使用される前記送信時間間隔を、前記拡張専用送信チャネルデータフレームに格納された情報に基づいて決定し、かつ、
前記拡張専用送信チャネルデータフレームに格納された前記情報は、前記アップリンクデータを送信するために前記ユーザ装置によって使用される前記送信時間間隔を、前記無線ネットワーク制御装置に示す送信時間間隔インジケータを含む、請求項25に記載の無線ネットワーク制御装置。
【発明の詳細な説明】
【技術分野】
【０００１】
本発明は、通信技術分野に関し、特に、送信時間間隔を決定するための方法、基地局、及び無線ネットワーク制御装置に関する。
【背景技術】
【０００２】
ユニバーサル・モバイル・テレコミュニケーション・システム(UMTS)において、アイドルモード又はセルフォワードアクセスチャネル(Cell_FACH)状態における拡張アップリンク送信の特性は、前記アイドル状態又はCell_FACH状態のユーザ装置(UE)に導入され、かつ、拡張専用チャネル(E-DCH)は、ランダムアクセスチャネル(RACH)に置き換えるために使用される。前記アイドル状態又は前記Cell_FACH状態の前記UEは、取得されたアップリンク共通E-DCHリソースを使用して、予め設定された送信時間間隔(TTI)で、アップリンクデータを基地局(NodeB)に送信してもよい。
【０００３】
前記NodeBと、無線ネットワーク制御装置(RNC)との間のIubインターフェースで、前記NodeBは、E-DCHデータフレームを介して、UEのアップリンクデータを前記RNCに送信する。前記E-DCHデータフレームは、前記Cell-FACH状態又は前記アイドル状態の前記UEのメディアアクセス制御プロトコルデータユニット(MAC PDU)を格納するために使用され、かつ、前記Cell-FACH状態又は前記アイドル状態の前記UEのために、前記TTIの長さが2ミリセカンド(ms)に設定されるとき、前記RNCは、共通メディアアクセス制御(MAC)フローのバンドリングモードインジケータ情報要素を構成することによって、前記Iubインターフェースでの前記共通MACフローの前記E-DCHデータフレームの送信モードを構成してもよい。
【０００４】
もし、物理共有チャネル再構成要求が、前記バンドリングモードインジケータを含み、かつ前記UEが前記2ms TTIを使用する場合、前記NodeBは、前記バンドリングモードインジケータに基づいて関連アップリンク共通MACフローを送信する。
【０００５】
従来技術では、前記拡張アップリンク送信特性のために、各セルが１つだけのアップリンクTTIで構成されてもよく、かつ、前記アップリンクデータを送信するとき前記UEは、2 ms TTI又は10 ms TTIのみを使用することができ、従って、前記RNCは、各セルにおけるUEによって使用される前記TTIを取得してもよい。
【０００６】
しかし、その後の進化したバージョンでは、各セルは、二つのTTIで設定されてもよく、つまり、同一セルにおいて、拡張アップリンク送信をサポートしているUEは、アップリンクデータを送信するために、2 ms TTI又は10 ms TTIを動的に選択してもよい。前記TTI選択は、前記UEが置かれている位置に基づいて実行されてもよく、例えば、前記UEがセルのエッジに置かれており、電力が限られているとき、前記UEは、前記アップリンクの拡張カバレッジに10 ms TTIを使用してもよく、前記UEがセルの中央に置かれており、かつ、電力が十分であるとき、前記UEは、アップリンクの送信速度を増加させるために前記2 ms TTIを使用してもよい。このシナリオでは、前記RNCは、前記アップリンクデータを送信するときに前記Cell-FACH状態又は前記アイドル状態のUEによって使用されるTTIを取得することができず、結果として、前記UEがCell-FACH状態からセル専用送信チャネル(Cell-DCH)状態に推移するとき、前記RNCは、UEに対して適切なTTIを選択し、かつ構成することができない。
【発明の概要】
【課題を解決するための手段】
【０００７】
本発明の様々な態様は、送信時間間隔を決定するための方法、基地局、及び無線ネットワーク制御装置を提供し、その結果、アップリンクデータを送信するときに前記無線ネットワーク制御装置は、アイドル状態又はセルフォワードアクセスチャネル状態のユーザ装置によって使用される送信時間間隔を取得するように実装することができる。
【０００８】
本発明の一態様は、送信時間間隔を送信するための方法を提供し、前記方法は、
基地局によって、拡張専用送信チャネル上で、アイドル状態又はセルフォワードアクセスチャネル状態のユーザ装置から送信されたアップリンクデータを受信するステップと、
前記基地局によって、前記アップリンクデータを送信するために前記ユーザ装置によって使用される送信時間間隔を決定するステップと、
前記基地局によって、拡張専用送信チャネルデータフレームの中の前記アップリンクデータを、無線ネットワーク制御装置に送信するステップと、
を含み、
前記拡張専用送信チャネルデータフレームは、前記アップリンクデータを送信するために前記ユーザ装置によって使用される前記送信時間間隔を前記無線ネットワーク制御装置に通知することを示す送信時間間隔インジケータを格納する。
【０００９】
本発明の別の態様は、送信時間間隔を決定する方法を提供し、前記方法は、
基地局によって、拡張専用送信チャネル上で、アイドル状態又はセルフォワードアクセスチャネル状態のユーザ装置から送信されたアップリンクデータを受信するステップと、
前記基地局によって、前記アップリンクデータを送信するために前記ユーザ装置によって使用される送信時間間隔を決定するステップと、
前記基地局によって、前記送信時間間隔に対応する送信ベアラを介して、前記拡張専用送信チャネルデータフレームの中の前記アップリンクデータを無線ネットワーク制御装置に送信するステップと
を含み、その結果、前記アップリンクデータを送信するために、前記無線ネットワーク制御装置は、前記送信ベアラに基づいて、前記ユーザ装置によって使用される前記送信時間間隔を決定する。
【００１０】
送信時間間隔を決定する方法の好適な実施形態において、前記方法は、
無線ネットワーク制御装置によって、基地局から拡張専用送信チャネルデータフレームを受信するステップであって、前記拡張専用送信チャネルデータフレームは、アイドル状態又はセルフォワードアクセスチャネル状態のユーザ装置から送信されたアップリンクデータを格納する、受信するステップと、
前記無線ネットワーク制御装置によって、前記アップリンクデータを送信するときに前記ユーザ装置によって使用される前記送信時間間隔を、前記拡張専用送信チャネルデータフレームに格納された情報、又は、前記拡張専用送信チャネルデータフレームを送信するために前記基地局が使用する送信ベアラに基づいて決定するステップと
を含む。
【００１１】
本発明の別の態様は基地局を提供し、前記基地局は、
拡張専用送信チャネル上で、アイドル状態又はセルフォワードアクセスチャネル状態のユーザ装置から送信されたアップリンクデータを受信するように構成された受信機と、
前記アップリンクデータを送信するとき、前記ユーザ装置によって使用される送信時間間隔を決定するように構成されたプロセッサと、
拡張専用送信チャネルデータフレームの中の前記アップリンクデータを無線ネットワーク制御装置に送信するように構成される送信機と、
を具備し、前記拡張専用送信チャネルデータフレームは、前記アップリンクデータを送信するために前記ユーザ装置によって使用される前記送信時間間隔を無線ネットワーク制御装置に通知することを示す送信時間間隔インジケータを格納する。
【００１２】
好適な基地局の実施形態において、前記基地局は、
拡張専用送信チャネル上で、アイドル状態又はセルフォワードアクセスチャネル状態のユーザ装置から送信されたアップリンクデータを受信するように構成された受信機と、
前記アップリンクデータを送信するために前記ユーザ装置にとって使用される送信時間間隔を決定するように構成されたプロセッサと、
前記送信時間間隔に対応する送信ベアラを介して、前記拡張専用送信チャネルデータフレームの中の前記アップリンクデータを無線ネットワーク制御装置に送信するように構成された送信機と
を具備し、その結果、前記無線ネットワーク制御装置は、前記送信ベアラに基づいて、前記アップリンクデータを送信するために前記ユーザ装置によって使用される前記送信時間間隔を決定する。
【００１３】
本発明の別の態様は、無線ネットワーク制御装置を提供し、基地局から拡張専用送信チャネルデータフレームを受信するように構成された受信ユニットであって、前記拡張専用送信チャネルデータフレームは、アイドル状態又はセルフォワードアクセスチャネル状態のユーザ装置から送信されたアップリンクデータを格納する、受信機と、
前記送信ベアラに基づいて、前記アップリンクデータを送信するとき前記ユーザ装置によって使用される前記送信時間間隔を、前記拡張専用送信チャネルデータフレームに格納された情報、又は、前記拡張専用送信チャネルデータフレームを送信するために前記基地局が使用する送信ベアラに基づいて決定するように構成されたプロセッサと
を具備する。
【００１４】
本発明の態様に基づいて、無線ネットワーク制御装置は、拡張専用送信チャネルデータフレームおいて格納される送信時間間隔インジケータに基づいて、又は、前記拡張専用送信チャネルデータフレームを送信するための送信ベアラに基づいて、アップリンクデータを送信するときに、アイドル状態又はセルフォワードアクセスチャネル状態のユーザ装置によって使用される送信時間間隔を決定してもよく、それによって、前記ユーザ装置がセルフォワードアクセス状態からセル専用送信チャネル状態に推移するとき、前記無線ネットワーク制御装置は、前記ユーザ装置のための適切な送信時間間隔選択し、かつ構成することを保証する。
【図面の簡単な説明】
【００１５】
本発明に係る技術的解決策をより明確に説明するために、本発明又は従来技術の説明する添付図面を以下に簡単に説明する。以下の説明における添付図面は、単なる本発明のいくつかの実施形態を示しているに過ぎない。
【００１６】
【図１】本発明の実施形態に基づく送信時間間隔を決定する方法の実施形態のフローチャートである。
【図２】本発明の別の実施形態に基づく送信時間間隔を決定する方法の別の実施形態のフローチャートである。
【図３】本発明に基づく物理共有チャネル再構成プロセスの実施可能形態のフローチャートである。
【図４】本発明に基づく前記物理共有チャネル再構成プロセスの別の実施可能形態のフローチャートである。
【図５】本発明のさらに別の実施形態に基づく送信時間間隔を決定する方法のフローチャートである。
【図６】本発明の実施形態に基づく基地局の実施形態の概略ブロック図である。
【図７】本発明の別の実施形態に基づく基地局の別の実施形態の概略ブロック図である。
【図８】本発明のさらに別の実施形態に基づく基地局のさらに別の実施形態の概略ブロック図である。
【図９】本発明の実施形態に基づく無線ネットワーク制御装置の実施形態の概略ブロック図である。
【図１０】本発明の別の実施形態に基づく無線ネットワーク制御装置の別の実施形態の概略ブロック図である。
【発明を実施するための形態】
【００１７】
本発明の実施形態の目的、技術的解決法、及び利点をより理解し易くするために、添付図面を参照ながら本発明の実施形態における技術的解決法を以下に明瞭に説明する。説明される実施形態は、全ての実施形態よりもむしろ、本発明の単なる実施形態の一部であることは明らかである。創造的努力なしに、本発明の実施形態に基づいて当業者によって取得される他のすべての実施形態は、本発明の保護範囲内に入るものとする。
【００１８】
この明細書に記載される技術は、例えば、現在の第二世代移動体通信(2G)システム、第三世代移動体通信(3G)システム、及び次以降の世代通信システムのような様々な無線通信システムにおいて使用されてもよい。例えば、無線通信システムは、移動体通信システム用グローバルシステム(GSM（登録商標）)、符号分割多重アクセス(CDMA)システム、時分割多重アクセス(TDMA)システム、広帯域符号分割多重アクセス(WCDMA（登録商標）)システム、周波数分割多重アクセス(FDMA)システム、直交周波数分割多元接続(OFDMA)システム、シングルキャリアFDMA(SC-FDMA)システム、汎用パケット無線サービス(GPRS)システム又はロングタームエボリューション(LTE)システム、及び同様な特性の別の通信システムであってもよい。
【００１９】
この明細書において、本発明の様々な実施形態は、端末、基地局、及び／又は基地局制御装置の組み合わせで説明される。
【００２０】
ユーザ装置は、無線端末又は有線端末であってよく、前記無線端末は、ユーザのための音声及び／又はデータ接続性を提供するデバイス、無線通信機能を有する格納用デバイス、又は無線モデムに接続された別の処理デバイスのことであってよい。前記無線端末は、無線アクセスネットワーク(RAN)を介して１又は２以上のコアネットワークと通信してよく、前記無線端末は、例えばモバイル電話(又は”格納”電話と称す)及び移動体端末を有するコンピュータのような移動体端末であってよく、前記移動体端末は、格納可能(portable)、小型(pocket)、ハンドヘルド(handheld)、コンピュータに組み込まれた(computer-embedded)、又は車両搭載の移動装置であり、無線アクセスネットワークと言語及び／又はデータを交換する。例えば、前記無線端末は、個人通信サービス(PCS)フォン、コードレス電話(cordless phone)、セッション開始プロトコル(SIP)フォン、ワイヤレスローカルループ(WLL)ステーション、及びパーソナルデジタルアシスタント(PDA)のようなデバイスであってよい。前記無線端末はまた、システム、加入者ユニット、加入者ステーション、モバイルステーション、モバイル、遠隔ステーション、アクセスポイント、リモート端末、アクセス端末、ユーザ端末、ユーザエージェント、ユーザデバイス、又はユーザ装置等であってもよい。
【００２１】
基地局(例えば、アクセスポイント)は、無線インターフェース(air interface)における１又は２以上のセクタを介して無線端末と通信する、アクセスネットワークの中のデバイスであってよい。前記基地局は、受信されたエアフレーム(air frame)と、インターネットプロトコル(IP)パケットとの相互変換(inter-conversion)を実行するように構成され、かつ、前記無線端末と、アクセスネットワークの別の一部との間のルータとして使用されてもよく、前記アクセスネットワークの別の一部は、IPネットワークを含んでもよい。前記基地局はさらに、前記無線インターフェース上で属性管理を調整してもよい。例えば、前記基地局は、GSM（登録商標）又はCDMAにおける基地局(BTS)、WCDMA（登録商標）における基地局(NodeB)、又はLTEにおける進化型基地局(NodeB, eNB, 又はe-NodeB)であってよく、本発明において限定されない。前記eNB又はe-NodeBは、進化型基地局(evolved NodeB)の略称である。
【００２２】
基地局制御装置はGSM（登録商標）又はCDMAにおける基地局制御装置(BSC)であってよく、又は、WCDMA（登録商標）における無線ネットワーク制御装置(RNC)であってよく、本発明において限定されない。
【００２３】
さらに、「システム」及び「ネットワーク」という用語は、この明細書においては常に同様な意味で使用されてもよい。この明細書における「及び/又は」という用語は、関連するオブジェクトの関連を説明しているに過ぎず、かつ、３つの関係性を示唆しており、例えばA及び/又はBは、Aは単独で存在し、A及びBは同時に存在し、かつBは単独で存在する、という３つの状態を示唆することができる。さらに、この明細書における「/」という記号は、一般的に前後の関連するオブジェクトが、「又は」という関連にあるということを示唆している。
【００２４】
図１は、本発明の実施形態に基づく送信時間間隔を決定する方法のフローチャートである。図１に示されるように、送信時間間隔を決定する方法が、以下に示される。
【００２５】
101: NodeBは、E-DCH上でアイドル状態又はCell-FACH状態のUEから送信されたアップリンクデータを受信する。
【００２６】
102: 前記アップリンクデータを送信するために、NodeBは、前記UEによって使用されるTTIを決定する。
【００２７】
例えば、前記UEは、プリアンブルシグナチャ(preamble signature)を介したアップリンクランダムアクセスステージ(uplink random access stage)において、前記アップリンク送信の間に前記UEによって使用されるTTIをNodeBに通知し、その結果、前記NodeBは、前記E-DCH上で前記UEから送信されたアップリンクデータを受信した後に、前記アップリンクデータを送信するために前記UEによって使用されるTTIを決定する。これは、前記アップリンクデータを送信するために前記UEによって使用されるTTIを決定するNodeBの一実施例に過ぎないことは言うまでもない。さらに、NodeBが、前記アップリンクデータを送信するために前記UEによって使用されるTTIを決定する方法は、本発明に限定されない。
【００２８】
103: 前記NodeBは、E-DCHデータフレームの中に前記アップリンクデータを格納するとともに、前記E-DCHデータフレームをRNCに送信し、前記E-DCHデータフレームは、TTIインジケータを格納し、その結果、前記アップリンクデータを送信するために前記UEによって使用されるTTIを前記RNCに通知することができる。
【００２９】
この実施形態において、新たな情報エレメント(IE)フラグを使用することによって、前記NodeBは、前記E-DCHデータフレームのスペース拡張フィールドが前記TTIインジケータを含むということを示してもよい。
【００３０】
例えば、前記新たなIEフラグのビット1の値が”1”に設定されるとき、前記TTIインジケータが存在するということを示し、かつ、前記新たなIEフラグのビット1の値が”0”に設定されるとき、前記TTIインジケータが存在しない。前述の説明は一実施例に過ぎないことは当然であり、本発明はそれに限定されない。また、前記新たなIEフラグのビット1の値が”0”に設定されるとき、前記TTIインジケータが存在するということを示し、かつ、前記新たなIEフラグのビット1の値が”1”に設定されるとき、前記TTIインジケータが存在しないということを示してもよい。その代わりに、前記TTIインジケータが存在するかどうかということは、前記新たなIEフラグのビット1の値を別の数、符号、及び/又は文字列に設定することによって示されてもよい。さらに、前記TTIインジケータが存在するかどうかは、前記新たなIEフラグのビット1以外の別のビットの値を設定することによって示されてもよく、かつ、他のビットを設定する方法は、ビット1を設定する方法と同様であり、ここでは繰り返さない。前記新たなIEフラグが、前記TTIインジケータが存在するか否かを示すことが可能であれば、前記新たなIEフラグを設定する方法は、本発明の実施形態に限定されない。
【００３１】
この実施形態において、前記TTIインジケータは、前記アップリンクデータを送信するために前記UEによって使用されるTTIが、第一のTTI又は第二のTTIであることを示すために使用され、前記第一のTTIは2 ms TTIであり、かつ前記第二のTTIは10 ms TTIであり、又は、前記第一のTTIは10 ms TTIであり、かつ前記第二のTTIは2 ms TTIである。これは、本発明の実施形態に限定されない。しかし本発明の以下の実施形態の説明は、一実施例として、2 ms TTIである第一のTTIと、10 ms TTIである第二のTTIとを使用する。
【００３２】
例えば、前記TTIインジケータが”1”に設定されるとき、前記アップリンクデータを送信するときに前記UEは2 ms TTIを使用することを示してもよく、かつ、前記TTIインジケータが”0”に設定されるとき、前記アップリンクデータを送信するときに前記UEは10 ms TTIを使用することを示してもよい。前述したことは一実施例に過ぎず、本発明の実施形態はその実施例に限定されないことは当然である。また、前記TTIインジケータが”0”に設定されるとき、前記アップリンクデータを送信するときに前記UEは2 ms TTIを使用することを示してもよく、かつ、前記TTIインジケータが”1”に設定されるとき、前記アップリンクデータを送信するときに前記UEは10 ms TTIを使用することを示してもよい。一方で、前記アップリンクデータを送信するときに、前記UEが2 ms TTI又は10 ms TTIのいずれかを使用することは、前記TTIインジケータを別の数、符号、及び/又は文字列に設定することによって示されてもよい。前記TTIインジケータは、アップリンクデータを送信するときに前記UEが2 ms TTI 又は 10 ms TTIのいずれかを使用することを示すことが可能であれば、前記TTIインジケータを設定する方法は、本発明の実施形態に限定されない。
【００３３】
この実施形態において、前記NodeBは、以下のいずれかの方法ので前記TTIインジケータを格納してもよく、その方法は、
(1)各E-DCHデータフレームの中に格納する、(2)前記UEの各アップリンクE-DCH送信プロセスの間に、前記NodeBが、前記第一のE-DCHデータフレームの中にのみ前記TTIインジケータを格納する、(3)前記UEによって通知されたスケジューリング情報(SI)の合計バッファサイズが予め設定された閾値を超えるとき、前記NodeBが前記E-DCHデータフレームの中に前記TTIインジケータを格納する、という方法である。
【００３４】
“アップリンクE-DCH送信”は、前記UEがE-DCH送信を開始することを言及しており、かつ、コンフリクトコンテンションソリューション(conflict contention solution)を介して、アップリンクデータ送信で使用される共通E-DCHを取得し、かつ、前記アップリンクデータ送信が完了、又は前記NodeBの制御下になった後、共通E-DCHリソース解放を実行する。
【００３５】
前記予め設定された閾値が、そのソフトウェア及びハードウェア処理能力に基づいて前記NodeBによって設定されてもよく、又は、予め前記NodeBのためにRNCによって構成されてもよい。
【００３６】
この実施形態は、説明のための一実施例として基地局をNodeBとするが、本発明の実施形態はこれに限定されない。本発明のこの実施形態における基地局は、例えば進化型基地局(evolved NodeB; 略してeNB)のような別のタイプの基地局であってもよい。本発明の実施形態はこれに限定しないが、以下の説明では、説明のための一実施例として前記基地局をNodeBとする。
【００３７】
この実施形態において、RNCは、E-DCHデータフレームの中に格納されるTTIインジケータに基づいて、アップリンクデータを送信するときに、アイドル状態又はCell-FACH状態のユーザ装置によって使用されるTTIを決定してもよい。それによって、前記RNCは、前記UEが前記Cell_FACH状態から前記Cell_DCH状態に推移するとき、前記UEのために適切なTTIを選択し、かつ、構成することを保証する。
【００３８】
図２は、本発明の別の実施形態に基づく送信時間間隔を決定する方法のフローチャートである。図２に示されているように、送信時間間隔を決定する方法が、以下に説明される。
【００３９】
201: NodeBは、E-DCH上でアイドル状態又はCell-FACH状態のUEから送信されたアップリンクデータを受信する。
【００４０】
202: 前記NodeBは、E-DCHデータフレームの中に前記アップリンクデータを格納する。
【００４１】
203: 前記NodeBは、前記アップリンクデータを送信するとき、前記UEによって使用されるTTIに基づいて、前記TTIに対応する送信ベアラを介して、前記E-DCHデータフレームをRNCに送信し、その結果、前記RNCは、前記送信ベアラに基づいて、前記アップリンクデータを送信するとき前記UEによって使用される前記TTIを決定する。
【００４２】
この実施形態において、前記RNCは、前記E-DCHデータフレームを送信ための前記送信ベアラに基づいて、アップリンクデータを送信するときに、アイドル状態又はCell-FACH状態の前記UEによって使用される前記TTIを決定してもよい。それによって、前記RNCは、前記UEが前記Cell_FACH状態から前記Cell_DCH状態に推移するとき、前記UEのために適切なTTIを選択し、かつ、構成することを保証する。
【００４３】
図２に示される実施形態において、201の前に、前記NodeBは、前記RNCとともに構成プロセスを実行する必要がある。一実施方法において、前記NodeBは、前記RNCから送信された第一構成メッセージを受信してもよい。前記第一構成メッセージは、前記RNCによって構成される二つのアップリンク共通メディアアクセス制御(MAC)フローの識別子を格納する。前記共通MACフローのそれぞれは、一つのTTIに対応する。ついで、前記NodeBは、前記第一構成メッセージに応じて、第一応答メッセージを前記RNCに送信する。前記第一応答メッセージは、前記アップリンク共通MACフローに対して前記NodeBによって割り当てられた送信ベアラを発送する。別の実施方法において、前記NodeBは、前記RNCから送信された第二構成メッセージを受信してもよく、前記第二構成メッセージは、前記RNCによって構成されるアップリンク共通MACフローの識別子と、前記第一のTTIに対応する前記アップリンク共通MACフローに対して前記RNCによって構成されるバンドリングモードインジケータ(bundling mode indicator)とを格納し、ついで、前記NodeBは、前記第二構成メッセージに応じて、前記RNCに第二応答メッセージを送信してもよく、前記第二応答メッセージは、前記RNCによって構成されたアップリンク共通MACフローに対して前記NodeBによって割り当てられた送信ベアラを格納する。
【００４４】
前記第一構成メッセージは、物理共有チャネル再構成要求メッセージであってもよく、かつ、前記第一構成メッセージに応ずる前記第一応答メッセージは、物理共有チャネル再構成応答メッセージであってよい。同様に、前記第二構成メッセージは、物理共有チャネル再構成要求メッセージであってもよく、かつ、前記第二構成メッセージに応ずる前記第二応答メッセージは、物理共有チャネル再構成応答メッセージであってもよい。従って、201の前に、前記NodeB及び前記RNCによって実行される構成プロセスは、物理共有チャネル再構成プロセスであってよい。
【００４５】
図３は、前記物理共有チャネル再構成プロセスの実施可能形態のフローチャートである。図３には以下のフローが示されている。
【００４６】
301: NodeBは、RNCから送信された物理共有チャネル再構成要求メッセージを受信し、前記物理共有チャネル再構成要求メッセージは、TTIの二つの異なる長さに基づいて、前記RNCによって構成された二つのアップリンク共通(MAC)フローの識別子を格納する。
【００４７】
302: 前記NodeBは、物理共有チャネル再構成応答メッセージを前記RNCに送信し、前記物理共有チャネル再構成応答メッセージは、前記二つのアップリンク共通MACフローに対して前記NodeBによって割り当てられた送信ベアラを格納する。
【００４８】
この実施可能形態において、前記RNCは、前記TTIの長さ(2 ms or 10 ms)に基づいて二つのアップリンク共通MACフローを構成し、かつ、前記構成された二つのアップリンク共通MACフローの識別子(ID)を、物理共有チャネル再構成要求メッセージを介して前記NodeBに送信する。ついで、前記NodeBは、前記送信ベアラを前記二つの共通MACフローに割り当て、かつ、前記二つのアップリンク共通MACフローに割り当てられた前記送信ベアラを、前記物理共有チャネル再構成応答メッセージを介して前記RNCに送信する。その後、前記RNCは、前記二つのアップリンク共通MACフローに対して前記NodeBによって割り当てられた送信ベアラ、及び、前記二つのアップリンク共通MACフローと、前記送信ベアラとの間のマッピングを記憶する。このようにして、後続のIubデータ送信プロセスにおいて、2 ms TTIを使用して前記UEから送信されたアップリンクデータを受信した後、前記NodeBは、E-DCHデータフレームの中に前記アップリンクデータを格納し、かつ、2 ms TTIに対応する送信ベアラを介して、前記E-DCHデータフレームを前記RNCに送信する。10 ms TTIを使用して前記UEから送信された前記アップリンクデータを受信した後、前記NodeBは、E-DCHデータフレームの中に前記アップリンクデータを格納し、かつ、10 ms TTIに対応する送信ベアラを介して前記E-DCHデータフレームを前記RNCに送信する。前記送信ベアラを介して前記NodeBから送信された前記E-DCHデータフレームを受信した後、前記RNCは、前記送信ベアラに基づいて、前記アップリンクデータを送信するときに前記UEによって使用されるTTIを決定してもよい。例えば、前記送信ベアラを介して前記NodeBから送信された前記E-DCHデータフレームを受信した後、もし、前記RNCは、前記送信ベアラが、RNCによって記憶され、かつ2 ms TTIで前記NodeBによって割り当てられた送信ベアラと同一であると判定する場合、前記RNCは、アップリンクデータを送信するとき、前記UEによって使用されるTTIが2 msであると決定してもよい。
【００４９】
この実施可能形態において、RNCは、TTIの長さに基づいて、二つのアップリンク共通MACフローを構成し、かつ、NodeBは、前記二つのアップリンク共通MACフローに対して送信ベアラを割り当て、かつ、2 ms TTI又は10 ms TTIを使用してUEから送信されるアップリンクデータを、2 ms TTI及び10 ms TTIに対応するそれぞれの送信ベアラを介して前記RNCに送信する。従って、前記RNCは、前記送信ベアラに基づいて、アップリンクデータを送信するとき前記UEによって使用されるTTIを判別してもよく、それによって、前記RNCは、前記UEが前記Cell_FACH状態から前記Cell_DCH状態に推移するとき、前記UEのために適切なTTIを選択し、かつ、構成することを保証する。
【００５０】
図４は、前記物理共有チャネル再構成プロセスの別の実施可能形態のフローチャートである。図４には以下のフローが示されている。
【００５１】
401: NodeBは、RNCから送信された物理共有チャネル再構成要求メッセージを受信し、前記物理共有チャネル再構成要求メッセージは、前記RNCによって構成されたアップリンク共通(MAC)フローの識別子と、第一のTTIに対応するアップリンク共通MACフローに対して、前記RNCによって構成されたバンドリングモードインジケータとを格納する。
【００５２】
前記第一のTTIは2 ms TTI又は10 ms TTIであってもよい。以下の記載に限定しないが、説明のための一実施例として前記第一のTTIは2 ms TTIであるとする。
【００５３】
402: The NodeBは物理共有チャネル再構成応答メッセージを前記RNCに送信する。前記物理共有チャネル再構成応答メッセージは、前記RNCによって構成された前記アップリンク共通MACフローに対して前記NodeBによって割り当てられた送信ベアラを格納する。
【００５４】
この実施可能形態において、前記RNCは、アップリンク共通MACフローの前記バンドリングモードインジケータを構成することによってTTIを判別する。前記RNCは、構成メッセージにおいて、2 ms TTIに対して対応するアップリンク共通MACフローにおける前記バンドリングモードインジケータを構成する。前記物理共有チャネル再構成要求メッセージを受信した後、前記NodeBは、前記バンドリングモードインジケータに基づいて、2 ms TTIをサポートするアップリンク共通MACフローを取得する。前記NodeBは、物理共有チャネル再構成要求メッセージによって格納されたアップリンク共通MACフローに対して送信ベアラを割り当て、前記物理共有チャネル再構成要求メッセージにおいて格納されるアップリンク共通MACフローに対して割り当てられた前記送信ベアラを物理共有チャネル再構成応答メッセージの中に格納し、かつ、前記RNCに応答メッセージを送信する。その後、前記RNCは、アップリンク共通MACフローに対して前記NodeBによって割り当てられた送信ベアラ、及び、アップリンク共通MACフローと前記送信ベアラとの間のマッピングを記憶する。特に、前記バンドリングモードインジケータで構成されたアップリンク共通MACフローに対して、前記RNCは、アップリンク共通MACフローと、前記バンドリングモードインジケータと、前記送信ベアラとの間のマッピングを記憶する。後続のIubデータ送信プロセスにおいて、前記NodeBは、前記バンドリングモードインジケータで構成された前記アップリンク共通MACフローに対応する送信ベアラを介して前記RNCにE-DCHデータフレームを送信する。前記E-DCHデータフレームは、2 ms TTIを使用して前記UEから送信されたアップリンクデータを格納する。前記RNCは、前記バンドリングモードインジケータで構成される前記アップリンク共通MACフローに対応する送信ベアラ、及び、アップリンク共通MACフローと、前記バンドリングモードインジケータと、前記送信ベアラとの間のマッピングに基づいて、前記アップリンクデータを送信するときにUEによって使用されるTTIは、2 msであると決定してもよい。同様に、前記RNCが、前記バンドリングモードインジケータで構成されていないアップリンク共通MACフローに対応する送信ベアラを介して送信されるE-DCHデータフレームを受信した後、前記RNCは、前記バンドリングモードインジケータで構成されていないアップリンク共通MACフローに対応する送信ベアラに基づいて、前記アップリンクデータを送信するときにUEによって使用されるTTIが10 msであると決定してもよい。
【００５５】
この実施可能形態において、RNCは、2 ms TTIに対して対応するアップリンク共通MACフローにおけるバンドリングモードインジケータを構成する。ついで、NodeBは、アップリンクデータを、前記バンドリングモードインジケータで構成されたアップリンク共通MACフローに対応する送信ベアラを介してRNCに送信する。前記アップリンクデータは、2 ms TTIを使用してUEから送信する。このようにして、アップリンクデータを送信するときに、UEによって使用されるTTIを決定するために、前記RNCは、2 ms TTIを使用してUEから送信された前記アップリンクデータを判別することが可能である。この実施可能形態は、前記RNCは、前記UEが前記Cell_FACH状態から前記Cell_DCH状態に推移するとき、前記UEのために適切なTTIを選択し、かつ、構成することを保証する。
【００５６】
図５は、本発明のさらに別の実施形態に基づく送信時間間隔を決定する方法のフローチャートである。図５には以下のフローが示される。
【００５７】
501: RNCは、NodeBからE-DCHデータフレームを受信する。前記E-DCHデータフレームは、アイドル状態又はCell-FACH状態のUEから送信されたアップリンクデータを格納する。前記アップリンクデータは、予め決定されたTTIに基づいて、かつ、前記TTIに対応する送信ベアラを介して、E-DCH上で送信される。
【００５８】
502: 前記RNCは、前記送信ベアラに基づいて、前記アップリンクデータを送信するとき前記UEによって使用される前記TTIを決定する。
【００５９】
この実施形態において、501の前に、前記RNCは、NodeBで構成プロセスを実行する必要もある。
【００６０】
図３を参照して、この実施形態の実施方法において、前記RNCは、第一構成メッセージをNodeBに送信してもよく、前記第一構成メッセージは、前記TTIの二つの異なる長さに基づいてRNCによって構成された二つのアップリンク共通MACフローの識別子を格納する。ついで、前記RNCは、前記第一構成メッセージに応じてNodeBから送信された第一応答メッセージを受信してもよい。前記第一応答メッセージは、前記二つのアップリンク共通MACフローに対してNodeBによって割り当てられた送信ベアラを格納する。ついで、前記NodeBがE-DCHデータフレームを送信する方法と、前記RNCがアップリンクデータを送信するときにUEによって使用されるTTIを決定する方法は、図３に示される実施例において説明された方法と同一であり、ここで繰り返さない。
【００６１】
図４を参照すると、この実施形態の別の実施方法において、前記RNCは、第二構成メッセージをNodeBに送信してもよい。前記第二構成メッセージは、RNCによって構成されたアップリンク共通MACフローの識別子と、第一のTTIに対応するアップリンク共通MACフローに対してRNCによって構成されたバンドリングモードインジケータとを格納する。ついで、前記RNCは、前記第二構成メッセージに応じてNodeBから送信された第二応答メッセージを受信してもよい。前記第二応答メッセージは、RNCによって構成されたアップリンク共通MACフローに対してNodeBによって割り当てられた送信ベアラを格納する。
【００６２】
この実施方法において、前記RNCは、前記バンドリングモードインジケータで構成されたアップリンク共通MACフローに対応する第一の送信ベアラを介してNodeBから送信された第一のE-DCHデータフレームを受信してもよい。前記第一のE-DCHデータフレームは、第一のTTIを使用してUEから送信された第一のアップリンクデータを格納する。ついで、前記RNCは、第一のアップリンクデータを送信するときに、前記第一の送信ベアラに基づいて前記UEが第一のTTIを使用することを決定してもよい。
【００６３】
前記第一構成メッセージは物理共有チャネル再構成要求メッセージであってよく、かつ、前記第一構成メッセージに応答する前記第一応答メッセージは物理共有チャネル再構成応答メッセージであってよい。前記第二構成メッセージは物理共有チャネル再構成要求メッセージであってよく、かつ、前記第二構成メッセージに応答する前記第二応答メッセージは物理共有チャネル再構成応答メッセージであってよい。
【００６４】
この実施形態において、RNCは、アップリンクデータを送信するとき、E-DCHデータフレームを送信する送信ベアラの識別子に基づいて、アイドル状態又はCell-FACH状態のUEによって使用されるTTIを決定してもよく、それによって、前記RNCは、前記UEが前記Cell_FACH状態から前記Cell_DCH状態に推移するとき、前記UEのために適切なTTIを選択し、かつ、構成することを保証する。
【００６５】
本発明のさらに別の実施形態に基づく送信時間間隔を決定する方法において、コンフリクト検出ステージ(conflict detection stage)における絶対付与チャネル(E-AGCH)を送信した後、NodeBは、NodeBアプリケーション部(NBAP)シグナリングを介して、アップリンクデータを送信するときに、UEによって使用されるTTIをRNCに送信してもよい。このようにして、前記RNCは、NodeBから送信されたTTIと、RNCの内部アルゴリズムとに基づいてアップリンクデータを送信するときにUEによって使用されるTTIを決定してもよい。もし前記RNCが、アップリンクデータを送信するときにUEによって使用されるTTIを修正する必要がある場合、前記RNCは、無線ベアラ(RB)の再構成を実行する必要がある。前記NBAPシグナリングは、コンフリクト検出が完了した後のシグナリングの一つ目(first piece)であってよく、かつ、別のシグナリングであってもよく、例えば、前記NBAPシグナリングは無線リンク設定応答メッセージ、又は、無線リンク設定失敗メッセージを使用することができる別のシグナリングであってもよい。
【００６６】
当業者は、本発明の上記実施形態において例示された方法の全て又は一部が、関連ハードウェアを命令するプログラムによって実装されてもよいということを理解すべきである。前記プログラムは、コンピュータ可読記憶媒体に記憶されてもよい。プログラムが実行されるとき、前記方法は、本発明の実施形態において説明された方法に基づいて実行される。前記記憶媒体は、例えば(読み取り専用メモリ)ROM、(ランダムアクセスメモリ)RAM、磁気ディスク、又は光学ディスクのようなプログラムコードを記憶することが可能な任意の媒体であってもよい。
【００６７】
図６は、本発明の実施形態に基づく基地局の概略ブロック図である。この実施形態における基地局は、本発明の図１に示される実施形態のプロセスを実行してもよい。図６に示されるように、前記基地局は、受信ユニット61と、決定ユニット62と、送信ユニット63と、を具備する。
【００６８】
前記受信ユニット61は、E-DCH上でアイドル状態又はCell-FACH状態のUEから送信されたアップリンクデータを受信するように構成される。
【００６９】
前記決定ユニット62は、前記アップリンクデータを送信するために、前記UEによって使用さるTTIを決定するように構成される。
【００７０】
前記送信ユニット63は、E-DCHデータフレームの中に前記アップリンクデータを格納するとともに、前記E-DCHデータフレームをRNCに送信するように構成され、前記E-DCHデータフレームは、TTIインジケータを格納し、その結果、前記アップリンクデータを送信するために前記UEによって使用されるTTIをRNCに通知することができる。
【００７１】
この実施形態における基地局は、例えばeNBのようなNodeB又は別のタイプの基地局であってよく、かつ、前記基地局のタイプは、本発明のこの実施形態に限定されない。
【００７２】
図６に示される前記基地局において、前記受信ユニット61がE-DCH上でアイドル状態又はCell-FACH状態のUEから送信されたアップリンクデータを受信した後、前記決定ユニット62は、前記アップリンクデータを送信するためにUEによって使用されるTTIを決定し、前記送信ユニット63は、E-DCHデータフレームの中にアップリンクデータを格納するとともに、前記E-DCHデータフレームをRNCに送信する。前記E-DCHデータフレームは、TTIインジケータを格納する。その結果、前記アップリンクデータを送信するためにUEによって使用される前記TTIを前記RNCに通知することができる。それによって、前記UEが前記Cell_FACH状態から前記Cell_DCH状態に推移するときに前記UEに適切なTTIを選択し、かつ構成することを保証している。
【００７３】
図７は、本発明に基づく基地局の別の実施形態の概略ブロック図である。図６に示された基地局と比較すると、図７に示される基地局は、指示ユニット64と、格納ユニット65とをさらに具備してもよいという点で異なる。
【００７４】
前記指示ユニット64は、New IE Flagを介して、前記E-DCHデータフレームのスペア拡張フィールドが、前記TTIインジケータを含むことを示すように構成される。前記TTIインジケータは、前記アップリンクデータ TTIを送信するために前記UEによって使用される前記TTIが第一のTTI又は第二のTTIであることを示すために使用される。
【００７５】
前記格納ユニット65は、以下のいずれかの方法において前記TTIインジケータを格納するように構成されてもよい。その方法は、各E-DCHデータフレームの中に前記TTIインジケータを格納することと、前記UEの各アップリンクE-DCH送信プロセスにおいて前記第一のE-DCHデータフレームの中のみのTTIインジケータを格納することと、及び、前記UEによって通知されるSIにおけるデータバッファサイズが予め設定された閾値を超えるとき、前記E-DCHデータフレームの中に前記TTIを格納することとである。
【００７６】
“アップリンクE-DCH送信”は、前記UEがE-DCH送信を開始することを言及しており、かつ、コンフリクトコンテンションソリューションを介して、アップリンクデータ送信で使用される共通E-DCHを取得し、かつ、前記アップリンクデータ送信が完了、又は前記NodeBの制御下になった後、共通E-DCHリソース解放を実行する。
【００７７】
前記予め設定された閾値は、そのソフトウェア及びハードウェア処理能力に基づいてNodeBによって設定されてもよく、又は、予めNodeBに対してRNCによって構成されてもよい。
【００７８】
前記基地局は、RNCに送信されたE-DCHデータフレームの中にTTIインジケータを格納してもよく、その結果、アップリンクデータを送信するためにUEによって使用されるTTIをRNCに通知することができる。それによって、前記RNCは、前記UEが前記Cell_FACH状態から前記Cell_DCH状態に推移するとき、前記UEのために適切なTTIを選択し、かつ、構成することを保証する。
【００７９】
図８は、本発明に基づく基地局のさらに別の実施形態の概略ブロック図である。この実施形態における基地局は本発明の図２に示される実施形態のプロセスを実施してもよい。図８に示されるように、前記基地局は、受信ユニット81と、格納ユニット82と、送信ユニット83とを具備してもよい。
【００８０】
前記受信ユニット81は、E-DCH上でアイドル状態又はCell-FACH状態のUEから送信されたアップリンクデータを受信するように構成される。
【００８１】
前記格納ユニット82は、E-DCHデータフレームの中に前記アップリンクデータを格納する。
【００８２】
前記送信ユニット83は、前記アップリンクデータを送信するとき、前記UEによって使用されるTTIに基づいて、前記TTIに対応する送信ベアラを介して、前記E-DCHデータフレームをRNCに送信するように構成され、その結果、前記RNCは、前記送信ベアラに基づいて、前記アップリンクデータを送信するとき前記UEによって使用されるTTIを決定する。
【００８３】
この実施形態の実施方法において、前記受信ユニット81は、さらにRNCから送信された第一構成メッセージをさらに受信してもよい。前記第一構成メッセージは、前記TTIの異なる長さに基づいてRNCによって構成された二つのアップリンク共通MACフローの識別子を格納する。前記送信ユニット83はさらに、第一応答メッセージを、前記第一構成メッセージに応じてRNCに送信するように構成されてもよい。前記第一応答メッセージは、前記二つのアップリンク共通MACフローに対して基地局によって割り当てられた送信ベアラを格納する。
【００８４】
この実施形態の別の実施方法において、前記受信ユニット81はさらに、RNCから送信された第二構成メッセージを受信するように構成されてもよい。前記第二構成メッセージは、前記RNCによって構成されたアップリンク共通MACフローの識別子と、第一のTTIに対応するアップリンク共通MACフローに対してRNCによって構成されるバンドリングモードインジケータとを格納する。前記送信ユニット83はさらに、第二応答メッセージを、前記第二構成メッセージに応じてRNCに送信するように構成されてもよい。前記第二応答メッセージは、前記RNCによって構成されたアップリンク共通MACフローに対して前記基地局によって割り当てられた送信ベアラを格納する。
【００８５】
この実施方法において、前記送信ユニット83は、前記E-DCHデータフレームを、前記バンドリングモードインジケータで構成されるアップリンク共通MACフローに対応する前記送信ベアラを介して前記RNCに送信してもよく、前記E-DCHデータフレームは、前記第一のTTIを使用してUEから送信されたアップリンクデータを格納する。
【００８６】
前記第一構成メッセージは、物理共有チャネル再構成要求メッセージであってよい。前記第一構成メッセージに応ずる前記第一応答メッセージは、物理共有チャネル再構成応答メッセージであってよい。前記第二構成メッセージは、物理共有チャネル再構成要求メッセージであってよい。また、前記第二構成メッセージに応ずる前記第二応答メッセージは、物理共有チャネル再構成応答メッセージであってよい。
【００８７】
この実施形態における基地局は、例えばeNBのような、NodeB又は別のタイプの基地局であってもよい。前記基地局のタイプは、本発明のこの実施形態に限定されない。
【００８８】
前記実施形態において、前記受信ユニット81がE-DCH上でアイドル状態又はCell-FACH状態のUEから送信されたアップリンクデータを受信した後、前記格納ユニット82は、E-DCHデータフレームの中にアップリンクデータを格納し、前記送信ユニット83は、前記アップリンクデータするときにUEによって使用されるTTIに基づいて、前記E-DCHデータフレームを、前記TTIに対応する送信ベアラを介してRNCに送信する。その結果、前記RNCは、前記送信ベアラに基づいて、アップリンクデータを送信するときにUEによって使用される前記TTIを決定することが可能である。それによって、前記RNCは、前記UEが前記Cell_FACH状態から前記Cell_DCH状態に推移するとき、前記UEのために適切なTTIを選択し、かつ、構成することを保証する。
【００８９】
図９は、本発明に基づく無線ネットワーク制御装置(RNC)の実施形態の概略ブロック図である。この実施形態におけるRNCは、本発明の図５に示される実施形態のプロセスを実施してもよく、図９に示されるように、前記RNCは、受信ユニット91及び決定ユニット92を具備する。
【００９０】
前記受信ユニット91は、アップリンクデータを送信するとき、アイドル状態又はCell-FACH状態のUEによって使用されるTTIに基づいて、かつ、前記TTIに対応する送信ベアラを介して、基地局から送信されたE-DCHデータフレームを受信するように構成される。前記E-DCHデータフレームは、E-DCH上で前記UEから送信された前記アップリンクデータを格納する。
【００９１】
前記決定ユニット92は、前記送信ベアラに基づいて、前記アップリンクデータを送信するとき前記UEによって使用される前記TTIを決定するように構成される。
【００９２】
前記第一構成メッセージは、物理共有チャネル再構成要求メッセージであってよい。前記第一構成メッセージに応ずる前記第一応答メッセージは、物理共有チャネル再構成応答メッセージであってよい。前記第二構成メッセージは、物理共有チャネル再構成要求メッセージであってよい。前記第二構成メッセージに応ずる前記第二応答メッセージは、物理共有チャネル再構成応答メッセージであってよい。
【００９３】
前記RNCは、E-DCHデータフレームを送信するための送信ベアラに基づいて、E-DCH上でアップリンクデータを送信するときにアイドル状態又はCell-FACH状態のUEによって使用されるTTIを決定してもよい。それによって、前記RNCは、前記UEが前記Cell_FACH状態から前記Cell_DCH状態に推移するとき、前記UEのために適切なTTIを選択し、かつ、構成することを保証する。
【００９４】
図１０は、本発明に基づく無線ネットワーク制御装置の別の実施形態の概略構造図である。図９と比較すると、この実施形態の実施方法では、前記RNCがさらに、第一送信ユニット93を具備してもよいという点で異なる。
【００９５】
前記第一送信ユニット93は、第一構成メッセージを前記基地局に送信するように構成される。前記第一構成メッセージは、前記TTIの二つの異なる長さに基づきRNCによって構成される二つのアップリンク共通MACフローの識別子を格納する。このとき、前記受信ユニット91はさらに、前記第一構成メッセージに応答して、前記基地局から送信された第一応答メッセージを受信するように構成されてもよく、前記第一応答メッセージは、前記二つのアップリンク共通MACフローに対して前記基地局によって割り当てられた送信ベアラを格納する。
【００９６】
この実施形態の別の実施方法において、前記RNCはさらに第二送信ユニット94を具備してもよい。
【００９７】
前記第二送信ユニット94は、第二構成メッセージを前記基地局に送信するように構成される。前記第二構成メッセージは、前記RNCによって構成されたアップリンク共通MACフローの識別子と、第一のTTIに対応するアップリンク共通MACフローのための前記RNCによって構成されるバンドリングモードインジケータとを格納する。このとき、前記受信ユニット91はさらに、前記第二構成メッセージに応じて前記基地局から送信された第二応答メッセージを受信するように構成されてもよく、前記第二応答メッセージは、前記RNCによって構成された前記アップリンク共通MACフローに対して前記基地局によって割り当てられた送信ベアラを格納する。
【００９８】
この実施形態において、前記受信ユニット91は、前記バンドリングモードインジケータで構成されるアップリンク共通MACフローに対応する第一の送信ベアラを介して基地局から送信された第一のE-DCHデータフレームを受信してもよい。前記第一のE-DCHデータフレームは、第一のTTIを使用してUEから送信された第一のアップリンクデータを格納する。このとき、前記決定ユニット92は、前記第一の送信ベアラに基づいて、前記ユーザ装置が第一のアップリンクデータを送信するときに第一のTTIを使用するということを決定してもよい。
【００９９】
この実施形態において、前記RNCは、第一送信ユニット93及び/又は第二送信ユニット94を具備してもよい。この実施形態に限定されないが、図１０は、一実施例として、前記RNCが前記第一送信ユニット93及び前記第二送信ユニット94を具備することとしてもよい。
【０１００】
前記RNCは、E-DCHデータフレームを送信する送信ベアラに基づいて、E-DCH上でアップリンクデータを送信するときに、アイドル状態又はCell-FACH状態のUEによって使用されるTTIを決定してもよい。それによって、前記RNCは、前記UEが前記Cell_FACH状態から前記Cell_DCH状態に推移するとき、前記UEに対して適切なTTIを選択し、かつ、構成することを保証する。
【０１０１】
当業者は、説明を効率的かつ簡易にするため、機能ユニットの分割は、一実施例としてのみ記載されていること、及び、実際のアプリケーションでは、機能は、要求に応じて異なる機能ユニットによって実施されるように割り当てられ、つまり、装置の内部構造は異なる機能ユニットに分割され、その結果、前述の全て又は一部の機能を実施することができることを理解すべきである。上記に記載されたシステム、装置、及びユニットの具体的な動作プロセスは、方法の実施形態における対応するプロセスを参照して取得されてもよく、ここでは繰り返されない。
【０１０２】
本願において提供されるいくつかの実施形態では、開示されたシステム、装置、及び方法は、他の方法で実装されてもよいことは理解されるべきである。例えば、前述デバイスの実施形態は、単なる実施例である。例えば、前記ユニット分割は、単なる論理機能分割であり、かつ、実際の実施において他の分割がであってもよい。例えば、複数のユニット又は構成要素を組み合わせられ、又は別のシステムに統合され、又はいくつかの特徴が無視される又は実行されなくてもよい。さらに、図示又は説明されたことの組み合わせ又は直接的な組み合わせ、あるいは通信接続は、いくつかのインターフェースを介して達成することができ、装置またはユニット間の間接的な組み合わせ又は通信接続は、電気的、機械的、又はその他の形態であってもよい。
【０１０３】
別々の構成要素として記載されたユニットが、物理的に分離してもしなくてもよい。ユニットとして示される構成要素が物理ユニットであってもなくてもよく、すなわち、統合されても、複数のネットワークユニットに分配されてもよい。一部又は全てのモジュールは、実際の要求に応じて実施形態の解決策の目的を達成するために選択されてもよい。
【０１０４】
さらに、本発明の各実施形態に基づく様々な機能ユニットが、一つのプロセスモジュールに統合されてもよく、又は、様々な分離された物理ユニットとして存在してもよく、又は、２以上のユニットが一つのユニットに統合されてもよい。前記統合モジュールは、ハードウェアを介して実施されてもよく、又は、ソフトウェア機能モジュールの形態で実施されてもよい。
【０１０５】
統合ユニットがソフトウェア機能ユニットの形態で実施され、かつ販売され、又は別々の製品として使用されるとき、統合ユニットは、コンピュータ可読記憶媒体に記憶されてもよい。それゆえに、本発明の技術的解決策、又は、従来技術に組み合わせられた一部は、ソフトウェア製品の形態で実質的に実施されてもよい。コンピュータソフトウェア製品は、記憶媒体に記憶され、かつ、コンピュータ装置(例えば、パーソナルコンピュータ、サーバー、又はネットワーク装置)に命令するためのいくつかの命令、又は、本発明の実施形態で説明された方法の全て又は一部のステップを実行するためのプロセッサ(processor)を具備する。記憶媒体は、例えば、USBフラッシュディスク、モバイルハードディスク、読み取り専用メモリ(ROM)、ランダムアクセスメモリ(RAM)、磁気ディスク、又は光学ディスクのようなプログラムコードを記憶することが可能な様々な媒体を具備する。
【０１０６】
最後に、上記の実施形態は、単に本発明の技術的解決策を説明するために提供されたものであり、本発明を限定するものではないことに留意すべきである。なお、本発明は実施形態を参照して詳細に説明したが、実施形態において説明された技術的解決策が修正されたり、又は、前記技術的解決策におけるいくつかの技術的特徴に均等な置換されることは、そのような修正又は均等な置換が本発明の範囲から逸脱しない限りで実行されうることは当業者によって理解されるべきである。
【符号の説明】
【０１０７】
６１  受信ユニット
６２  決定ユニット
６３  送信ユニット
６４  指示ユニット
６５  格納ユニット
８１  受信ユニット
８２  格納ユニット
８３  送信ユニット
９１  受信ユニット
９２  決定ユニット
９３  第一送信ユニット
９４  第二送信ユニット
【図１】
0005861851.tif 000002
【図２】
0005861851.tif 000003
【図３】
0005861851.tif 000004
【図４】
0005861851.tif 000005
【図５】
0005861851.tif 000006
【図６】
0005861851.tif 000007
【図７】
0005861851.tif 000008
【図８】
0005861851.tif 000009
【図９】
0005861851.tif 000010
【図１０】
0005861851.tif 000011